(57)【特許請求の範囲】
【請求項１】
所定個数の商品を上下方向に積層収納する商品コラムを備え、該商品コラムは左右側面が仕切板により形成されるとともに、前面が開放され、前記仕切板に沿って商品が整列状態で積層収納され、該商品コラム内の最下位の商品から順に払い出される自動販売機であって、
前記商品コラムの商品収納部前面に、上下方向に略連続して並ぶ配置で複数のガイド部材が設けられ、
前記商品コラムの商品収納部前面の上下方向に間隔をおいた複数箇所に、各ガイド部材をそれぞれ個別に商品の前倒れを防止する倒れ防止位置と商品の補充を許容する退避位置とに変換可能なように支持する支持部材が設けられ、
前記各支持部材が、前記商品コラムの商品収納部前面の左右方向中心に対し一側に偏位した位置に、各ガイド部材を下端を支点として揺動可能に支持する摺鉢状の支持穴を備えていて、該支持穴で各ガイド部材の下端部を支持し、
前記支持部材同士の間に前記ガイド部材のうちの少なくとも一部のガイド部材が架設され、
前記支持部材同士の間に架設されるガイド部材を上方側および下方側から支持する両支持部材のうちの上方側の支持部材は、該ガイド部材の上端部を左右移動自在に支持する支持部を有するとともに、該ガイド部材の上端部を前記商品コラムの商品収納部前面の左右方向中心側へ付勢する付勢手段を備えていることを特徴とする自動販売機。
【請求項２】
所定個数の商品を上下方向に積層収納する商品コラムを備え、該商品コラムは左右側面が仕切板により形成されるとともに、前面が開放され、前記仕切板に沿って商品が整列状態で積層収納され、該商品コラム内の最下位の商品から順に払い出される自動販売機であって、
前記商品コラムの商品収納部前面に、上下方向に略連続して並ぶ配置で複数のガイド部材が設けられ、
前記商品コラムの商品収納部前面の上下方向に間隔をおいた複数箇所に、各ガイド部材をそれぞれ個別に商品の前倒れを防止する倒れ防止位置と商品の補充を許容する退避位置とに変換可能なように支持する支持部材が設けられ、
前記各支持部材が、前記商品コラムの商品収納部前面の左右方向中心に対し一側に偏位した位置で各ガイド部材の下端部を支持し、
前記支持部材同士の間に前記ガイド部材のうちの少なくとも一部のガイド部材が架設され、
前記支持部材同士の間に架設されるガイド部材は、直棒状で下略半分がバネ部を構成するとともに上端および下端にフック部を備え、
前記支持部材の間に架設されるガイド部材を上方側および下方側から支持する両支持部材のうち、上方側の支持部材は、架設されるガイド部材の上端のフック部を引っかける係止部を備え、下方側の支持部材は、架設されるガイド部材の下端のフック部を引っかける係止部を備えていることを特徴とする自動販売機。
【請求項３】
前記商品コラムは上面に天井板を備え、前記ガイド部材のうちの最上部のガイド部材は、前記天井板と該天井板に最も近い位置に設けられた前記支持部材との間に架設されている請求項１または２記載の自動販売機。
【発明の詳細な説明】
【０００１】
【発明の属する技術分野】
本発明は、商品を上下方向に積層収納し最下位の商品から順に払い出す縦積み商品コラムを備えた自動販売機に係り、特に、商品補充時における商品の前倒れを防止する部材を備えた自動販売機に関する。
【０００２】
【従来の技術】
縦積みの商品コラムに箱型にパッケージした商品を収納し販売する自動販売機には、通常、商品販売待機時および販売時の商品の前倒れや飛び出しを防止するよう、例えば、商品コラムの前面略中央に上下方向のガイドロッドが設けられている。このガイドロッドは、商品補充時には商品コラム側面付近まで移動させて、商品コラム前面を開放し、商品補充を行えるようにしたものである。
【０００３】
しかし、こうした商品前倒れ防止のためのガイドロッドを商品コラムの前面に設けるだけでは、商品コラムが縦に大きくて、積載収納される商品数が多い場合、商品補充のためガイドロッドを商品コラム側面付近まで移動させた時に、商品コラム内に商品がある程度の数残存していると、その残存している積層状態の商品が、ガイドロッドが側方に移動するとバランスを崩して前方に倒れてくることがあり、また、補充商品を積み重ねていく時にバランスを崩して前方に倒れてくることがある。
【０００４】
そこで、例えば特開平１０−３０７９５９号公報記載のように、ガイドロッドとは別に、商品コラムの仕切板の所定位置に、商品コラムの前面に突出し、また、商品コラムの前面から退避可能に、商品の前端に当接する倒れ防止部品を設けたり、実開平６−２４８８号公報記載のように、商品飛出し防止部材としてのガイドロッドの所定位置に、ガイドロッドを側方へ移動させたときにも商品コラム前面に一部突出して商品の落下を防止するよう商品落下防止部を設けることが提案されている。
【０００５】
【発明が解決しようとする課題】
しかし、このような方法では、商品補充の際にガイドロッドを退避位置へ移動させたときに、倒れ防止部材や商品落下防止部が設けられている位置での商品の前倒れは防止することができるが、倒れ防止部材や商品落下防止部は商品コラム前面の一部に位置するだけで、それら倒れ防止部材や商品落下防止部から外れた位置では、ガイドロッドが退避位置へ移動したときに商品の前面を支持するものが何も無く、そうした位置からの商品の前倒れを防止することができなかった。
【０００６】
本発明はそうした問題点に鑑みてなされたもので、縦積み商品コラムへの商品補充時の商品の前倒れを確実に防止することができ、且つ、商品の補充を容易に行える自動販売機を提供することを目的とする。
【０００７】
【課題を解決するための手段】
本発明は、所定個数の商品を上下方向に積層収納する商品コラムを備え、該商品コラムは左右側面が仕切板により形成されるとともに、前面が開放され、前記仕切板に沿って商品が整列状態で積層収納され、該商品コラム内の最下位の商品から順に払い出される自動販売機を、商品コラムの商品収納部前面に、上下方向に略連続して並ぶ配置で複数のガイド部材が設けられ、商品コラムの商品収納部前面の上下方向に間隔をおいた複数箇所に、各ガイド部材をそれぞれ個別に商品の前倒れを防止する倒れ防止位置と商品の補充を許容する退避位置とに変換可能なように支持する支持部材が設けられ、各支持部材が、商品コラムの商品収納部前面の左右方向中心に対し一側に偏位した位置に、各ガイド部材を下端を支点として揺動可能に支持する摺鉢状の支持穴を備えていて、該支持穴で各ガイド部材の下端部を支持し、支持部材同士の間にガイド部材のうちの少なくとも一部のガイド部材が架設され、支持部材の間に架設されるガイド部材を上方側および下方側から支持する両支持部材のうちの上方側の支持部材は、該ガイド部材の上端部を左右移動自在に支持する支持部を有するとともに、該ガイド部材の上端部を商品コラムの商品収納部前面の左右方向中心側へ付勢する付勢手段を備えているようにするものであり、また、商品コラムの商品収納部前面に、上下方向に略連続して並ぶ配置で複数のガイド部材が設けられ、商品コラムの商品収納部前面の上下方向に間隔をおいた複数箇所に、各ガイド部材をそれぞれ個別に商品の前倒れを防止する倒れ防止位置と商品の補充を許容する退避位置とに変換可能なように支持する支持部材が設けられ、各支持部材が、商品コラムの商品収納部前面の左右方向中心に対し一側に偏位した位置で各ガイド部材の下端部を支持し、支持部材同士の間にガイド部材のうちの少なくとも一部のガイド部材が架設され、支持部材の間に架設されるガイド部材は、直棒状で下略半分がバネ部を構成するとともに上端および下端にフック部を備え、支持部材の間に架設されるガイド部材を上方側および下方側から支持する両支持部材のうち、上方側の支持部材は、架設されるガイド部材の上端のフック部を引っかける係止部を備え、下方側の支持部材は、架設されるガイド部材の下端のフック部を引っかける係止部を備えているようにするものである。
【０００８】
このように、自動販売機の商品コラムの商品収納部前面に、それぞれ個別に商品の前倒れを防止する倒れ防止位置と商品の補充を許容する退避位置とに変換可能とした複数のガイド部材を、上下方向に略連続して並ぶ配置で設けることにより、商品販売待機時および販売時には、各ガイド部材をそれぞれ倒れ防止位置とし、商品コラムに積層収納された商品のほとんどを前面から支持して前倒れを防止するようにできるとともに、商品の補充作業時には、複数のガイド部材が同時に退避位置にならないよう、下方のガイド部材から順にガイド部材を一つずつ退避位置へ移動させ、各ガイド部材の位置で商品補充量が前倒れする高さに達する前にガイド部材を倒れ防止位置へ戻すようにして、補充時の商品の前倒れを防止できる。
【０００９】
各ガイド部材は、商品コラムの商品収納部前面の所定位置に支持部材を設け、該支持部材により、倒れ防止位置と退避位置とに変換可能なように支持することができる。そして、支持部材を商品コラムの前面の上下方向に間隔をおいた複数箇所に設けることにより、それら支持部材の間にガイド部材を架設するようにでき、また、ガイド部材のうちの最上部のガイド部材は、商品コラム上面の天井板と該天井板に最も近い位置に設けられた支持部材との間に架設することができる。
【００１０】
【発明の実施の形態】
以下、本発明の実施の形態を図面に基づいて説明する。
【００１１】
（第１の実施の形態）
図１は本発明の第１の実施の形態の自動販売機の扉開放時の正面図であり、図２は商品コラムの正面図、図３は第１の支持部材およびその近傍の正面図（ａ）および側面視断面図（ｂ）、図４は第２の支持部材およびその近傍の正面図（ａ）および側面視断面図（ｂ）、図５は第２の支持部材およびその近傍の斜視図である。
【００１２】
この実施の形態の自動販売機は、図１に示すように、販売機本体１の内部に、商品を上下方向に積層収納する複数の商品コラム２を横一列に備えるとともに、各商品コラム２の下方に払出機構３を備えたもので、各商品コラム２内に箱状にパッケージした商品を積層収納し、払出機構３により最下位のものから順に払い出して販売する。
【００１３】
各商品コラム２は、左右側面が仕切板４により形成されるとともに、上面が天井板５で塞がれ、後面が背板６により塞がれ、前面が商品コラム２内に商品を補充するよう開放され、下方に払出機構３が配置されている。これら仕切板４と、天井板５と、背板６と、払出機構３の上面とで区画される各商品コラム２内部の空間が商品収納部を構成する。図１は扉体７を開放した状態を示す。
【００１４】
各商品コラム２の一側（図１において左側）の仕切板４には、図２に示すように、後述の第１の支持部材１０Ａを取り付けた時に、払出機構３上面との間に商品ｓ１個分の高さ寸法よりやや大きめの間隔が開く位置と、商品コラム２の商品収納部の上下方向略中間の位置の２箇所の、商品コラム２の前面に臨むよう、商品コラム２前面に沿って取付板９Ａ、９Ｂが突設され、それらの取付板９Ａ、９Ｂに差し込むことにより第１および第２の支持部材１０Ａ、１０Ｂが取り付けられている。
【００１５】
第１の支持部材１０Ａは、下側の取付板９Ａに取り付けられ、払出機構３上面から商品の高さ寸法よりやや大きめの間隔を開けて商品コラム２の商品収納部前面に位置する。また、第２の支持部材１０Ｂは、上側の取付板９Ｂに取り付けられ、商品コラム２の商品収納部前面の上下方向略中間に位置する。
【００１６】
そして、各商品コラム２の前面には、第１の支持部材１０Ａと、該第１の支持部材１０Ａの上方に所定の間隔をおいて設けられた第２の支持部材１０Ｂとの間に、上下方向に第１のガイドロッド１１Ａ（ガイド部材）が架設され、天井板５と、第２の支持部材１０Ｂとの間に、第１のガイドロッド１１Ａに略連続して上下方向に第２のガイドロッド１１Ｂが架設されている。
【００１７】
第１のガイドロッド１１Ａは、直棒状の部材で、下端部が商品コラム２の左右方向の中心に対し一側（図２において左側）に偏位した位置で第１の支持部材１０Ａにより支持され、上端部が商品コラム２の商品収納部前面の左右方向中心付近と該中心に対し一側（図２において左側）に偏位した位置との間を移動可能なように第２の支持部材１０Ｂにより支持されている。
【００１８】
また、第２のガイドロッド１１Ｂは、上端部が２箇所においてＬ字状および逆Ｌ字状に折り曲げられクランク状とされた棒状の部材で、そのクランク状の上端部先端が商品コラム２の商品収納部前面の左右方向中心に対し一側（図２において左側）に偏位した位置で天井板５に支持され、下端部が商品コラム２の左右方向の中心に対し一側（図２において左側）に偏位した位置で第２の支持部材１０Ｂに支持されている。
【００１９】
第１の支持部材１０Ａは、図３に示すように、後部に上方に開口した摺鉢状の支持穴１２Ａを備えており、この支持穴１２Ａに第１のガイドロッド１１Ａの下端部が嵌まり込むことで、第１のガイドロッド１１の下端部が支持される。
【００２０】
第２の支持部材１０Ｂは、図４に示すように、後部に摺鉢状の支持穴１２Ｂを備えており、この支持穴１２Ｂに第２のガイドロッド１１Ｂの下端部が嵌まり込むことで、第２のガイドロッド１１Ｂの下端部が支持される。また、第２の支持部材１０Ｂの前面側下部には、第１のガイドロッド１１Ａの上端部を左右移動自在に支持する支持部１３が設けられ、さらに、第２の支持部材１０Ｂの前部には、第１のガイドロッド１１Ａの上端部を商品コラム２の商品収納部前面の左右方向中心側へ付勢する付勢手段としてのバネ部材１４が配置されている。
【００２１】
第１の支持部材１０Ａおよび第２の支持部材１０Ｂの支持穴１２Ａ、１２Ｂは、商品コラム２の商品収納部前面の左右方向中心に対し一側（図２において左側）に偏位した位置に設けられている。
【００２２】
また、天井板５には、クランク状に折り曲げられた第２のガイドロッド１１Ｂの先端が嵌まり込んで回動可能に支持される支持孔１５が設けられるとともに、第２のガイドロッド１１Ｂの直棒部上端を商品コラム２の商品収納部前面の左右方向中心に向け付勢するバネ部材１６が設けられている。第２のガイドロッド１１Ｂは、クランク状の上端部先端が天井板５の支持孔１５に回動可能に支持され、直棒部上端がバネ部材１６により商品収納部前面の左右方向中心に向け付勢される。
【００２３】
第１のガイドロッド１１Ａは、下端部が第１の支持部材１０Ａの支持穴１２Ａに支持され、上端部が第２の支持部材１０Ｂの支持部１３に左右方向に移動可能に支持されてバネ部材１４により商品コラム２の商品収納部前面の左右方向中央に向けて付勢され、販売待機時および販売時には、バネ部材１４の付勢力により、上端部が商品コラム２の商品収納部前面の左右方向中央付近まで移動して、該第１のガイドロッド１１Ａが面する部分の商品ｓの前倒れや飛び出しを防止する倒れ防止位置に保持され、商品の補充作業時には、第１のガイドロッド１１Ａの上端部を商品収納部前面の左右方向一側（図２において左側）へスライド移動させることにより、第１のガイドロッド１１Ａを下端を支点として揺動させ、商品収納部前面を開放して商品ｓの補充を許容する退避位置へと変換可能である。
【００２４】
また、第２のガイドロッド１１Ｂは、下端部が第２の支持部材１０Ｂの支持穴１２Ｂに支持され、クランク状の上端部先端が天井板５の支持孔１５に回動可能に支持されて、直棒部上端がバネ部材１６により商品収納部前面の左右方向中心に向け付勢され、販売待機時および販売時には、バネ部材１６の付勢力により、直棒部上端が商品コラム２の商品収納部前面の左右方向中央付近まで移動して、該第２のガイドロッド１１Ｂが面する部分の商品ｓの前倒れや飛び出しを防止する倒れ防止位置に保持され、商品の補充作業時には、第２のガイドロッド１１Ｂの直棒部上方部分を商品収納部前面の左右方向一側（図２において左側）へクランク移動させることにより、第２のガイドロッド１１Ｂを下端を支点として揺動させ、商品収納部前面を開放して商品ｓの補充を許容する退避位置へと変換可能である。
【００２５】
第１の支持部材１０Ａの取付位置は、払出機構３上面との間に商品ｓの高さ寸法よりやや大きめの間隔が開く位置である。第１の支持部材１０Ａはこの位置で第２の支持部材１０Ｂとの間に第１のガイドロッド１１Ａを支持するともに、それ自体が商品ｓの飛び出しを防止する。
【００２６】
また、第２の支持部材１０Ｂの取付位置は、商品コラム２の商品収納部内に積み重ねた商品ｓが前方へ倒れ易くなる高さ位置であり、図示の例では商品収納部上下方向略中間の位置である。なお、後述のように、商品ｓが前倒れを起こしやすい複数の位置に前記構成の第２の支持部材１０Ｂは設ける場合もある。第２の支持部材１０Ｂはこうした位置で天井板５との間に第２のガイドロッド１１Ｂを支持するとともに、それ自体が補充作業時および販売待機時ならびに販売時の商品ｓの前倒れや飛び出しを防止する。
【００２７】
この自動販売機に商品を補充する時は、まず、第１のガイドロッド１１Ａの上端部を手で押し、あるいは補充する商品ｓで押して、図２において左側へスライド移動させ、第１のガイドロッド１１Ａを商品コラム２の商品収納部前面の下方部分を開放する退避位置に保持し、商品コラム２の商品収納部に前面側から、第１のガイドロッド１１Ａを避けるように傾けつつ商品ｓを装入し、水平に戻して上下に積み重ねる。
【００２８】
そして、第２の支持部材１０Ｂの取付位置付近まで商品ｓを装填すると、第１のガイドロッド１１Ａから手を離し、あるいは手に持った商品ｓを第１のガイドロッド１１Ａから離すことにより、第１のガイドロッド１１Ａの上端部を、第２の支持部材１０Ｂに設けられているバネ部材１４の作用によって商品コラム２の商品収納部前面の左右方向中央付近まで戻し、第１のガイドロッド１１Ａを、該第１のガイドロッド１１Ａが面する部分の商品ｓの前倒れや飛び出しを防止する倒れ防止位置に保持させる。これで商品コラム２の商品収納部の第２の支持部材１０Ｂより下方の部分での商品補充が終了する。
【００２９】
こうして第２の支持部材１０Ｂより下方での商品補充が終了すると、さらに商品コラム２の商品収納部の第２の支持部材１０Ｂより上方の部分に商品ｓを補充するため、第２のガイドロッド１１Ｂの上部を手で押し、あるいは補充する商品で押して、第２図において左側へスライド移動させ、第２のガイドロッド１１Ｂを、商品コラム２の商品収納部前面の上方部分を開放する退避位置に保持し、商品コラム２の商品収納部に前面側から，第２のガイドロッド１１Ｂを避けるように傾けつつ商品ｓを装入し、水平に戻して上下に積み重ねる。この時、第１のガイドロッド１１Ａは倒れ防止位置にあるため、商品収納部の第２の支持部材１０Ｂより下方の部分に収納されている商品が、前倒れを起こすのを防止することができる。
【００３０】
そして、商品コラム２の天井板５付近まで商品ｓを補充し、その商品コラム２の商品補充が終了すると、第２のガイドロッド１１Ｂから手を離し、あるいは手に持った商品ｓを第２のガイドロッド１１Ｂから離すことにより、第２のガイドロッド１１Ｂの直棒部上方部分を、天井板５に設けられているバネ部材１６の作用によって商品コラム２の商品収納部前面の左右方向中央付近まで戻し、第２のガイドロッド１１Ｂを、該第２のガイドロッド１１Ｂが面する部分の商品ｓの前倒れや飛び出しを防止する倒れ防止位置に保持させる。これでその商品コラム２の商品収納部への商品補充作業が全て終了する。
【００３１】
第１のガイドロッド１１Ａおよび第２のガイドロッド１１Ｂは、それぞれバネ部材１４、１６によって倒れ防止位置方向へ付勢されているため、商品補充作業後には自動的に退避位置から倒れ防止位置へと戻る。そのため、戻し忘れが生じない。
【００３２】
なお、この実施の形態は、商品コラム２の収納部前面に、個別に商品の前倒れを防止する倒れ防止位置と商品の補充を許容する退避位置とに変換可能なガイド部材として、第１のガイドロッド１１Ａと第２のガイドロッド１１Ｂの二つを上下方向に略連続した配置で設けたもので、それら二つのガイドロッド１１Ａ、１１Ｂを支持するため、第１の支持部材１０Ａと第２の支持部材１０Ｂの二つを設け、第２の支持部材１０Ｂは、商品が前倒れを起こしやすい商品収納部上下方向略中間の位置に設け、第１のガイドロッド１１Ａは第１の支持部材１０Ａと第２の支持部材１０Ｂの間に架設し、第２のガイドロッド１１Ｂは第２の支持部材１０Ｂと商品コラム２の天井板５の間に架設しているが、商品コラム２の縦寸法や商品の種類等によっては、三つ以上に分割した配置で上下に略連続してガイド部材を設け、それら三つ以上のガイド部材をそれぞれ個別に倒れ防止位置と退避位置とに変換可能としてもよく、その場合、商品が前倒れを起こしやすい複数の位置にそれぞれ前記第２の支持部材１０Ｂを設け、それら複数箇所の第２の支持部材１０Ｂの間に前記構成の第１のガイドロッド１１Ａを架設するとよい。
【００３３】
（第２の実施の形態）
図６は本発明の第２の実施の形態の自動販売機の扉開放時の正面図であり、図７は商品コラムの正面図、図８は第１の支持部材およびその近傍の正面図（ａ）および側面視断面図（ｂ）、図９は第２の支持部材およびその近傍の正面図（ａ）および側面視断面図（ｂ）、図１０は第１のガイドロッドの正面図である。
【００３４】
この実施の形態の自動販売機は、図６に示すように、第１の実施の形態と同様、販売機本体１の内部に、商品を上下方向に積層収納する複数の商品コラム２を横一列に備えるとともに、各商品コラム２の下方に払出機構３を備えたもので、各商品コラム２内に箱状にパッケージした商品を積層収納し、払出機構３により最下位のものから順に払い出して販売する。
【００３５】
そして、やはり各商品コラム２は、左右側面が仕切板４により形成されるとともに、上面が天井板５で塞がれ、後面が背板６により塞がれ、前面が商品コラム２内に商品を補充するよう開放され、下方に払出機構３が配置され、これら仕切板４と、天井板５と、背板６と、払出機構３の上面とで区画される各商品コラム２内部の空間が商品収納部を構成する。図６は扉体７を開放した状態を示す。
【００３６】
また、やはり各商品コラム２の一側（図６において左側）の仕切板４には、図７に示すように、後述の第１の支持部材２０Ａを取り付けた時に払出機構３上面との間に商品ｓ１個分の高さ寸法よりやや大きめの間隔が開く位置と、商品コラム２の商品収納部の上下方向略中間の位置の２箇所に、商品コラム２の前面に臨むよう、商品コラム２前面に沿って取付板９Ａ、９Ｂが突設され、それらの取付板９Ａ、９Ｂに差し込むことにより第１および第２の支持部材２０Ａ、２０Ｂが取り付けられている。
【００３７】
第１の支持部材２０Ａは、下側の取付板９Ａに取り付けられ、払出機構３上面から商品の高さ寸法よりやや大きめの間隔を開けて商品コラム２の商品収納部前面に位置する。また、第２の支持部材２０Ｂは、上側の取付板９Ｂに取り付けられ、商品コラム２の商品収納部前面の上下方向略中間に位置する。
【００３８】
そして、各商品コラム２の前面には、第１の支持部材２０Ａと、該第１の支持部材２０Ａの上方に所定の間隔をおいて設けられた第２の支持部材２０Ｂとの間に、上下方向に第１のガイドロッド２１Ａ（ガイド部材）が架設され、天井板５と、第２の支持部材２０Ｂとの間に、第１のガイドロッド２１Ａに略連続して上下方向に第２のガイドロッド２１Ｂが架設されている。
【００３９】
第１のガイドロッド２１Ａは、直棒状で下略半分がバネ部２２を構成し、そのバネ部２２の下端に形成されたフック部２３を、商品コラム２の左右方向の中心に対し一側（図７において左側）にやや偏位した位置で第１の支持部材２０Ａに引っかけることにより下端で支持され、上端に形成したフック部２４を商品コラム２の商品収納部前面の左右方向中心に対し同一側（図７において左側）にやや偏位した位置で第２の支持部材２０Ｂに引っかけることにより支持されている。
【００４０】
また、第２のガイドロッド２１Ｂは、第１の実施の形態の第２のガイドロッド１１Ｂと同様、上端部が２箇所においてＬ字状および逆Ｌ字状に折り曲げられクランク状とされた棒状の部材で、そのクランク状の上端部先端が商品コラム２の商品収納部前面の左右方向中心に対し一側（図７において左側）に偏位した位置で天井板５に支持され、下端部が商品コラム２の左右方向の中心に対し一側（図７において左側）に偏位した位置で第２の支持部材２０Ｂに支持されている。
【００４１】
第１の支持部材２０Ａは、図８に示すように、後面側上部に第１のガイドロッド２１Ａ下端のフック部２３を引っかける係止部２５を備えており、この係止部２５に第１のガイドロッド２０Ａ下端のフック部２３を引っかけることで第１のガイドロッド２０Ａの下端部が支持される。
【００４２】
第２の支持部材２０Ｂは、図９に示すように、後部に摺鉢状の支持穴１２を備えており、この支持穴１２に第２のガイドロッド２１Ｂの下端部が嵌まり込むことで、第２のガイドロッド２１Ｂの下端部が支持される。また、第２の支持部材２０Ｂの前面側下部には、第１のガイドロッド２１Ａ上端のフック部２４を引っかける係止部２６を備えており、この係止部２６に第１のガイドロッド２０Ａ上端のフック部２４を引っかけることで第１のガイドロッド２０Ａの上端部が支持される。
【００４３】
第２の支持部材２０Ｂの支持穴１２は、商品コラム２の商品収納部前面の左右方向中心に対し一側（図７において左側）に偏位した位置に設けられている。
【００４４】
また、天井板５には、クランク状に折り曲げられた第２のガイドロッド２１Ｂの先端が嵌まり込んで回動可能に支持される支持孔１５が設けられるとともに、第２のガイドロッド２１Ｂの直棒部上端を商品コラム２の商品収納部前面の左右方向中心に向け付勢するバネ部材１６が設けられている。第２のガイドロッド２１Ｂは、クランク状の上端部先端が天井板５の支持孔１５に回動可能に支持され、直棒部上端がバネ部材１６により商品収納部前面の左右方向中心に向け付勢される。
【００４５】
第１のガイドロッド２１Ａは、下端のフック部２３が第１の支持部材２０Ａの係止部２５に支持され、上端のフック部２４が第２の支持部材２０Ｂの係止部２６に支持され、販売待機時および販売時には、直棒状の上部とバネ部２２とが商品コラム２の左右方向の中心に対し一側（図７において左側）にやや偏位した位置で上下に一直線をなして、該第１のガイドロッド２１Ａが面する部分の商品ｓの前倒れや飛び出しを防止する倒れ防止位置に保持され、商品の補充作業時には、第１のガイドロッド２１Ａのバネ部２２を押して商品収納部前面の左右方向一側（図７において左側）へ撓ませることにより、商品収納部前面を開放して商品ｓの補充を許容する退避位置へと変換可能である。
【００４６】
また、第２のガイドロッド２１Ｂは、下端部が第２の支持部材２０Ｂの支持穴１２に支持され、クランク状の上端部先端が天井板５の支持孔１５に回動可能に支持されて、直棒部上端がバネ部材１６により商品収納部前面の左右方向中心に向け付勢され、販売待機時および販売時には、バネ部材１６の付勢力により、直棒部上端が商品コラム２の商品収納部前面の左右方向中央付近まで移動して、該第２のガイドロッド２１Ｂが面する部分の商品ｓの前倒れや飛び出しを防止する倒れ防止位置に保持され、商品の補充作業時には、第２のガイドロッド２１Ｂの直棒部上方部分を商品収納部前面の左右方向一側（図７において左側）へクランク移動させることにより、第２のガイドロッド２１Ｂを下端を支点として揺動させ、商品収納部前面を開放して商品ｓの補充を許容する退避位置へと変換可能である。
【００４７】
第１の支持部材２０Ａの取付位置は、払出機構３上面との間に商品ｓの高さ寸法よりやや大きめの間隔が開く位置である。第１の支持部材２０Ａはこの位置で第２の支持部材２０Ｂとの間に第１のガイドロッド２１Ａを支持するともに、それ自体が商品ｓの飛び出しを防止する。
【００４８】
また、第２の支持部材２０Ｂの取付位置は、商品コラム２の商品収納部内に積み重ねた商品ｓが前方へ倒れ易くなる高さ位置であり、図示の例では商品収納部上下方向略中間の位置である。なお、後述のように、商品ｓが前倒れを起こしやすい複数の位置に前記構成の第２の支持部材２０Ｂは設ける場合もある。第２の支持部材２０Ｂはこうした位置で天井板５との間に第２のガイドロッド２１Ｂを支持するとともに、それ自体が補充作業時および販売待機時ならびに販売時の商品ｓの前倒れや飛び出しを防止する。
【００４９】
この自動販売機に商品を補充する時は、まず、第１のガイドロッド２１Ａのバネ部２２を手で押し、あるいは補充する商品ｓで押して、バネ部２２を撓ませ、第１のガイドロッド２１Ａを図７において左側へ押し広げて、商品コラム２の商品収納部前面の下方部分を開放する退避位置に保持し、商品コラム２の商品収納部に前面側から、第１のガイドロッド２１Ａを避けるように傾けつつ商品ｓを装入し、水平に戻して上下に積み重ねる。
【００５０】
そして、第２の支持部材２０Ｂの取付位置付近まで商品ｓを装填すると、第１のガイドロッド２１Ａから手を離し、あるいは手に持った商品ｓを第１のガイドロッド２１Ａから離すことにより、第１のガイドロッド２１Ａを、バネ部２２の張力によって商品コラム２の商品収納部前面の左右方向中央よりやや偏位した位置まで戻し、第１のガイドロッド２１Ａを、該第１のガイドロッド２１Ａが面する部分の商品ｓの前倒れや飛び出しを防止する倒れ防止位置に保持させる。これで商品コラム２の商品収納部の第２の支持部材２０Ｂより下方の部分での商品補充が終了する。
【００５１】
こうして第２の支持部材２０Ｂより下方での商品補充が終了すると、さらに商品コラム２の商品収納部の第２の支持部材２０Ｂより上方の部分に商品ｓを補充するため、第２のガイドロッド２１Ｂの上部を手で押し、あるいは補充する商品で押して、第７図において左側へスライド移動させ、第２のガイドロッド２１Ｂを、商品コラム２の商品収納部前面の上方部分を開放する退避位置に保持し、商品コラム２の商品収納部に前面側から，第２のガイドロッド２１Ｂを避けるように傾けつつ商品ｓを装入し、水平に戻して上下に積み重ねる。この時、第１のガイドロッド２１Ａは倒れ防止位置にあるため、商品収納部の第２の支持部材２０Ｂより下方の部分に収納されている商品が、前倒れを起こすのを防止することができる。
【００５２】
そして、商品コラム２の天井板５付近まで商品ｓを補充し、その商品コラム２の商品補充が終了すると、第２のガイドロッド２１Ｂから手を離し、あるいは手に持った商品ｓを第２のガイドロッド２１Ｂから離すことにより、第２のガイドロッド２１Ｂの直棒部上方部分を、天井板５に設けられているバネ部材１６の作用によって商品コラム２の商品収納部前面の左右方向中央付近まで戻し、第２のガイドロッド２１Ｂを、該第２のガイドロッド２１Ｂが面する部分の商品ｓの前倒れや飛び出しを防止する倒れ防止位置に保持させる。これでその商品コラム２の商品収納部への商品補充作業が全て終了する。
【００５３】
第１のガイドロッド２１Ａはそれ自身のバネ部２２の張力によって倒れ防止位置を保持し、また、第２のガイドロッド２１Ｂはバネ部材１６によって倒れ防止位置方向へ付勢されているため、商品補充作業後には自動的に退避位置から倒れ防止位置へと戻る。そのため、戻し忘れが生じない。
【００５４】
なお、この第２の実施の形態では、第１のガイドロッド２１Ａのみをバネ部２２を備えたものとしているが、第２のガイドロッド２１Ｂもまたバネ部１６を備えたものとしてもよい。その場合、第２の支持部材２０Ｂの後面側に、支持穴１２の代わりに、第１の支持部材２０Ａの係止部２６と同様の支持部を設けて、第２のガイドロッド２１Ｂの上端のフック部を引っかけ、天井部５に支持孔１５の代わりに、第２のガイドロッド２１Ｂの上下端を引っかけることができる係止部を設ければよく、そうすることでガイド部材支持部の構成がより簡単になる。
【００５５】
また、この第２の実施の形態でも、第１の実施の形態と同様、商品コラム２の上下寸法や商品の種類等によっては、三つ以上に分割した配置で上下に略連続してガイド部材を設け、それら三つ以上のガイド部材をそれぞれ個別に倒れ防止位置と退避位置とに変換可能としてもよく、その場合、商品が前倒れを起こしやすい複数の位置にそれぞれ前記第２の支持部材２０Ｂを設け、それら複数箇所の第２の支持部材２０Ｂの間に前記構成のバネ部材２２を備えた第１のガイドロッド２１Ａを架設するとよい。
【００５６】
【発明の効果】
以上の説明から明らかなように、本発明によれば、自動販売機の商品コラムの商品収納部前面に、それぞれ個別に商品の前倒れを防止する倒れ防止位置と商品の補充を許容する退避位置とに変換可能とした複数のガイド部材を、上下方向に略連続して並ぶ配置で設けることにより、商品販売待機時および販売時に商品の前倒れを防止するようにできるとともに、商品の補充作業時にガイド部材を一つずつ退避位置へ移動させ、他のガイド部材は倒れ防止位置に保持しつつ商品を補充するようにでき、補充時の商品の前倒れを防止できる。
【００５７】
そして、各ガイド部材は、商品コラムの商品収納部前面の所定位置に支持部材を設けて、該支持部材により倒れ防止位置と退避位置とに変換可能なように支持するようにでき、また、支持部材を商品コラムの前面の上下方向に間隔をおいた複数箇所に設け、それら支持部材の間にガイド部材を架設するようにでき、最上部のガイド部材は、商品コラム上面の天井板と該天井板に最も近い位置に設けられた支持部材との間に架設するようにでき、そうすることで、容易且つ簡単な構成でガイド部材を支持でき、縦積み商品コラムへの商品補充時に商品の前倒れを確実に防止しつつ、商品を容易に補充できる。
【図面の簡単な説明】
【図１】本発明の第１の実施の形態の自動販売機の扉開放時の正面図である。
【図２】本発明の第１の実施の形態の自動販売機の商品コラムの正面図である。
【図３】本発明の第１の実施の形態の自動販売機における第１の支持部材およびその近傍の正面図（ａ）および側面視断面図（ｂ）である。
【図４】本発明の第１の実施の形態の自動販売機における第２の支持部材およびその近傍の正面図（ａ）および側面視断面図（ｂ）である。
【図５】本発明の第１の実施の形態の自動販売機における第２の支持部材およびその近傍の斜視図である。
【図６】本発明の第２の実施の形態の自動販売機の扉開放時の正面図である。
【図７】本発明の第２の実施の形態の自動販売機の商品コラムの正面図である。
【図８】本発明の第１の実施の形態の自動販売機における第１の支持部材およびその近傍の正面図（ａ）および側面視断面図（ｂ）である。
【図９】本発明の第２の実施の形態の自動販売機における第２の支持部材およびその近傍の正面図（ａ）および側面視断面図（ｂ）である。
【図１０】本発明の第２の実施の形態の自動販売機における第１のガイドロッドの正面図である。
【符号の説明】
１  販売機本体
２  商品コラム
３  払出機構
４  仕切板
５  天井板
９Ａ、９Ｂ  取付板
１０Ａ、２０Ａ  第１の支持部材
１０Ｂ、２０Ｂ  第２の支持部材
１１Ａ、２１Ａ  第１のガイドロッド
１１Ｂ、２１Ｂ  第２のガイドロッド
１４、１６  バネ部材
２２  バネ部
ｓ  商品
【図１】
0004027078.tif 000002
【図２】
0004027078.tif 000003
【図３】
0004027078.tif 000004
【図４】
0004027078.tif 000005
【図５】
0004027078.tif 000006
【図６】
0004027078.tif 000007
【図７】
0004027078.tif 000008
【図８】
0004027078.tif 000009
【図９】
0004027078.tif 000010
【図１０】
0004027078.tif 000011